(57)【特許請求の範囲】
【請求項１】
排出される記録シートを積載する排出トレイを備えた記録シート積載装置において、
前記排出トレイは排出される記録シートをガイドするリブを複数本設け、該リブの内、最も背の高いリブは記録シートのシート幅方向中心からシート幅方向にずらして配置されており、このずれ幅は最小記録シートのシート幅の１／２より少ない事を特徴とする記録シート積載装置。
【請求項２】
前記複数本のリブの内、最も背の高いリブ以外のリブが記録シートのシート幅方向中心からシート幅方向にずらして配置されており、このずれ幅は排出される記録シートのシート幅に合わせて、そのシート幅の１／２の距離より外側に配置されている事を特徴とする請求項１に記載の記録シート積載装置。
【請求項３】
前記複数本のリブの内、最も背の高いリブ以外のリブは、シート幅方向に複数本設けられていることを特徴とする請求項１に記載の記録シート積載装置。
【請求項４】
請求項１乃至３のいずれかに記載の記録シート積載装置を設けたことを特徴とする画像形成装置。
【発明の詳細な説明】
【０００１】
【発明の属する技術分野】
本発明は、複写機、プリンタ、ＦＡＸ等で用いられる記録シートを受ける排出トレイを備えた記録シート積載装置に関するものである。
【０００２】
【従来の技術】
図８は従来の複写機の排出部斜視図である。従来の複写機では排出されてくる記録シートの積載性を向上させるため排出トレイに所定の角度を設け、トレイ上には記録シートのシート幅方向中心線上に背の高いリブを設けているものがあった。
【０００３】
トレイの中央部に背の高いリブを設ける事により記録シートはシート送り方向と直角方向に起伏ができるため腰付けされる。これにより記録シートは積載中に腰折れ等が発生しなくなり、奇麗に整列して積載する事ができる。またこのリブは背の高さを高くすれば腰付けの効果はより大きくなる。
【０００４】
【発明が解決しようとする課題】
しかしながら、上記従来のような記録シート積載装置は以下のような問題点があった。図９は従来の複写機の排出部を左側面から見た図である。図９に示すように、腰の強いハガキ等の小さいサイズのシートを記録シートとして用いた場合、普通紙を用いた場合と異なり記録シートはトレイ上面に沿って積載されない。
【０００５】
すなわち、逆にリブに乗り上げてしまう形となり、更に背の高いリブは記録シートのシート幅方向中心に位置するため、記録シートは前後どちらかに傾いて積載されてしまう。この後更に記録シートを積載し続けると、排出されてくる次の記録シートがトレイ上の記録シートと衝突して更に積載が乱れることとなる。
【０００６】
そこで本発明は、特に小サイズの記録シートが良好に積載される排出トレイを備えた記録シート積載装置を提供することを目的とする。
【０００７】
【課題を解決するための手段】
上記課題を解決するために本発明に係る記録シート積載装置の代表的な構成は、排出される記録シートを積載する排出トレイを備えた記録シート積載装置において、前記排出トレイは排出される記録シートをガイドするリブを複数本設け、該リブの内、最も背の高いリブは記録シートのシート幅方向中心からシート幅方向にずらして配置されており、このずれ幅は最小記録シートのシート幅の１／２より少ない事を特徴とする。
【０００８】
【発明の実施の形態】
[第一実施形態]
本発明に係る記録シート積載装置の第一実施形態について、図を用いて説明する。図１は本実施形態にかかる画像形成装置の概観図、図２は画像形成装置の断面図、図３はシートの排出を説明する図、図４は普通紙の排出を説明する図、図５は普通紙の排出を説明する図である。
【０００９】
（装置全体の概略）
図１、図２に示すように、フラットベッドスキャナ30は、原稿台ガラス30ａ上に置かれた原稿Ｓを読み取る。使用者が圧板２を上下に開閉して原稿台ガラス30ａ上に置かれた原稿Ｂを押さえ、ＣＣＤイメージセンサ８により画像を読み取る。
【００１０】
圧板２の上面には原稿Ｓを複数枚積載できるように構成された原稿台２が設けられている。原稿台から原稿Ｓを搬送して画像を読み取る場合には、原稿搬送部６により原稿Ｓを一枚ずつ分離しつつ、原稿読み取り部７に原稿Ｓを搬送させながら原稿Ｓを読み取る。画像を読み取られた原稿は原稿排出トレイ９に積載される。なお、原稿搬送部６は圧板２の一部に設けられており、圧板２の開閉とともに上下動する。
【００１１】
記録装置部４は、レーザビームプリンタであり、カセット給送部12、手差し給送部25、画像形成部11、定着部16、排出ローラ対17から構成されている。また、記録装置部４は表示部、入力部等からなる操作部５により操作される。
【００１２】
フラットベッドスキャナ30、記録装置部４、操作部５は装置全体を機械的に構成する枠体にそれぞれ設けられている。
【００１３】
記録シート積載装置は、排出された記録シートを積載する排出トレイ13、背の高いリブＨ、背の高いリブＨ以外のリブＲから構成され、定着部16にて画像を定着されたシートＰを積載する。
【００１４】
（フラットベッドスキャナ）
フラットベッドスキャナ30は、シート状の原稿や本など厚みのある原稿を静止させた状態で読み取るために、原稿を積置する原稿台ガラス30ａ、フレーム30ｂ、原稿押さえ板２ａが設けられている。
【００１５】
フラットベッドスキャナ30の構造体となるフレーム30ｂは、原稿台ガラス30ａを支持している。
【００１６】
原稿押さえ板２ａは、圧板２に対して固定して支持されており、圧板２を閉じる事で原稿台ガラス30ａ上の原稿を押圧する。これにより原稿が浮いてＣＣＤイメージセンサ８の焦点深度からはずれ、読み取り画像が乱れることを防いでいる。
【００１７】
(光学系、ＣＣＤイメージセンサ部）
原稿読み取り部７に原稿Ｓを搬送させながら読み取る場合、光源を保持したミラー台８ａは原稿読み取り部７の下部に固定され、原稿Ｂが原稿読み取り部７を通過していく事により原稿読み取りが行われる。
【００１８】
また、ブック原稿Ｓを読み取る場合、原稿台ガラス30ａ上に原稿Ｂをセットし、ミラー台８ａが副走査方向（矢印Ａ方向）に移動することにより原稿読み取りが行われる。
【００１９】
（記録装置部）
記録装置部４は、装置下部に配置される。汎用サイズのシートＰが積層収容されたカセット12ａ内のシートＰを給送ローラ対12ｂにより１枚づつ分離し、レジストローラ対24によりシートＰの斜行を補正し制御部（不図示）からのプリント信号と同期させてシートＰを画像形成部11へ給送する。
【００２０】
そして、帯電部材11ｂにより静電潜像担持体たる感光ドラム11ａの表面を一様に帯電させ、この表面をレーザスキャナ10により画像情報に基づいて露光される。
【００２１】
これにより感光ドラム11ａ上に静電潜像を形成させ、前期画像形成部の現像剤としてのトナーを現像剤担持体たる現像スリーブ11ｃにより感光ドラム11ａ上の静電潜像に転移させ、感光ドラム11ａ上にトナー像が形成される。
【００２２】
そして、上記トナー像が形成されたトナー画像を転写ローラ11ｆによりシートＰに転写し、さらに前記シートＰは定着部16へ搬送される。
【００２３】
定着部16では、シートＰ上に転写されたトナーを定着ローラ16ｂと加圧ローラ16ａにより搬送し、熱と圧力によりシートＰ上に定着し、記録シート積載装置においてこのシートＰを排出ローラ対17により排出トレイ13に順次排出する。
【００２４】
なお、感光ドラム11ａ、帯電部材11ｂ及び現像スリーブ11ｃは、トナー容器11ｄとともに一体のプロセスカートリッジ（以下、ＣＲＧという）を形成しており、トナー切れやドラム摩耗こともなうメンテナンス時にＣＲＧごと交換できるようになっている。
【００２５】
一方、手差し給送部25に積載されたシートＰは、給送ローラ25ａと対向位置に配置された分離パッド25ｂにより、１枚づつ分離され、レジストローラ対24によりシートＰの斜行を補正し、以下前述のように画像形成プロセスが行われる。
【００２６】
(排出部、記録シート積載装置)
図１に示すように、排出トレイ13は複写機本体の左側面に設けられている。排出トレイ13には、排出されるシートＰをガイドするようにトレイ全面に渡って記録シートの進む方向に平行なリブＲが複数本設けられている。それら複数本のリブＲのうちシート幅方向中心よりシート幅方向(奥側)にずれた位置のリブＨだけは他のリブに比較して極めて背が高くなっている。
【００２７】
図３に示すように、排出されてくる記録シートＰが普通紙の場合、記録シートＰの先端はまず先にこの背の高いリブＨに触れる事になる。そして図４、図５のように、記録シートＰはそのシート幅中央よりシート幅方向(奥側)にずれた位置が上に凸状に曲げられるため、記録シートＰにはシート送り方向に腰が付く。
【００２８】
記録シートは使用環境により、帯電して互いに貼り付きやすくなったり、湿気を帯びると腰が無くなり座屈しやすくなる。このような現象が発生すると記録シートは排出途中で座屈して積載できなかったり、排出口付近に記録シートが滞留してジャムしたりする。
【００２９】
上述のごとく排出トレイ13に背の高いリブＨを設ける事により、記録シート先端が排出トレイ13に触れた時、記録シートＰは上に凸状に曲げられるため、腰が付き、座屈しないで奇麗に積載できる。
【００３０】
次に記録シートにハガキのように腰の強く、幅の小さい紙種を用いた場合の実施形態について説明する。この場合は前述の普通紙積載の状態とかなり異なる。普通紙では図４、図５のように排出トレイ13上に積載された記録シートＰはトレイ面と背の高いリブＨで形成される仮想曲面に沿って積載される。これに対し記録シート自身の腰が強く、またシート幅も極めて小さいハガキ等の紙種では、背の高いリブＨを境にして奥側又は前側に斜めに積載される。
【００３１】
前述のごとく本発明では、図４に示すようにこの背の高いリブＨを記録シートＰのシート幅方向中心よりシート幅方向(奥側)にずらして配置した。このずらす量は、最小サイズのシートがハガキサイズであるため、ハガキのシート幅の１／２以下とした。また、ずらす方向は複写機本体の奥側としたがこれは前側でも同様の効果は得られる。
【００３２】
また、このように奥側にずらすことにより、ハガキは常に手前側にその記録面を向け、背の高いリブＨと排出トレイ面を結ぶ仮想曲面に沿って奇麗に積載される。このため記録面は操作者側に向けられるため、記録シートＰを視認しやすくなる。
【００３３】
[第二実施形態]
次に本発明に係る記録シート積載装置の第二実施形態について図を用いて説明する。図６は本実施形態にかかるハガキ等の小サイズのシートの排出を説明する図、図７はハガキ等の小サイズのシートの排出を説明する図である。上記第一実施形態と同一の機能を有する部分については、同一の符号を付して説明を省略する。
【００３４】
前述した背の高いリブＨ以外のリブＲは、図６のようにハガキ等のシート幅Ｗの１／２よりα（数ミリ程度）外側に配置した。ハガキ等の紙種では前述したように、背の高いリブＨと排出トレイ面を結ぶ面に沿って積載される。更に積載枚数を増やしていくと、積載面が斜めになっているため記録シートＰが少しずつ前方向にずれてくる。
【００３５】
これに対し背の高いリブＨ以外のリブＲをハガキ等のシート幅の１／２より数ミリ外側に配置する事により、この記録シートの横滑りをリブＲで止める事ができる。
【００３６】
なお、ハガキ等の積載時の横滑りを止めるためにリブを配置したが、図７に示すように、凹形状Ｔを設けて横滑りを止めてもよい。
【００３７】
【発明の効果】
以上説明したように、排出トレイ上に記録シートの進行方向に沿ったリブを複数本配置し、更にこれらリブのうちシート幅中央付近の１本を背の高いリブとし、更にこのリブをシート幅方向中心より後方で、かつ最小記録シートのシート幅の１／２以内の位置に配置する事により、ハガキ等の小サイズのシートを良好に積載する事が出来る。
【００３８】
また背の高いリブ以外のリブをハガキ等のシート幅の１／２より数ミリ外側に配置する事により積載された記録シートの横滑りを防ぐ事ができる。
【図面の簡単な説明】
【図１】第一実施形態にかかる画像形成装置の概観図である。
【図２】画像形成装置の断面図である。
【図３】シートの排出を説明する図である。
【図４】普通紙の排出を説明する図である。
【図５】普通紙の排出を説明する図である。
【図６】第二実施形態にかかるハガキ等の小サイズのシートの排出を説明する図である。
【図７】ハガキ等の小サイズのシートの排出を説明する図である。
【図８】従来の複写機の排出部斜視図である。
【図９】従来の複写機の排出部を左側面から見た図である。
【符号の説明】
Ｈ    …リブ
Ｐ    …シート
Ｒ    …リブ
Ｓ    …原稿
２   …圧板
２ａ …原稿押さえ板
４   …記録装置部
５   …操作部
６   …原稿搬送部
７   …原稿読み取り部
８   …イメージセンサ
８ａ …ミラー台
９   …原稿排出トレイ
10   …レーザスキャナ
11   …画像形成部
11ａ …感光ドラム
11ｂ …帯電部材
11ｃ …現像スリーブ
11ｄ …トナー容器
11ｆ …転写ローラ
12   …カセット給送部
12ａ …カセット
12ｂ …給送ローラ対
13   …排出トレイ
16   …定着部
16ａ …加圧ローラ
16ｂ …定着ローラ
17   …排出ローラ対
24   …レジストローラ対
25   …手差し給送部
25ａ …給送ローラ
25ｂ …分離パッド
30   …フラットベッドスキャナ
30ａ …原稿台ガラス
30ｂ …フレーム
【図１】
0004478325.tif 000002
【図２】
0004478325.tif 000003
【図３】
0004478325.tif 000004
【図４】
0004478325.tif 000005
【図５】
0004478325.tif 000006
【図６】
0004478325.tif 000007
【図７】
0004478325.tif 000008
【図８】
0004478325.tif 000009
【図９】
0004478325.tif 000010